(57)【要約】【課題】受信した利用者が思わず店に向かいたくなるようなメッセージを簡便に自動送信するカラオケ装置を提供する。【解決手段】店員のログイン認証が正常に行われた際、その店員に対応して顧客データベース７２に記憶された十八番曲等に含まれる楽曲に対応付けられた属性情報を抽出し、その属性情報に対応付けられた楽曲が十八番曲等に含まれる他の利用者を顧客データベース７２から検索する利用者検索手段８６と、検索された他の利用者がログイン中であるか否かを判定するログイン判定手段８８と、ログイン中でない場合には、検索された前記他の利用者に対応するメールアドレスに対して、検索の基準となった属性情報に係る情報を含むメッセージを送信するメッセージ送信手段９０とを、備えたものであることから、新規顧客と成り得る利用者に対して自動送信メールであることが悟られ難いメッセージを送信することができる。【選択図】図２
2014066939.tif 000002
【特許請求の範囲】
【請求項１】
多数の楽曲のうちから選択される楽曲の演奏出力と併行して、音声入力装置から入力される音声を増幅して出力させるカラオケ演奏制御を行うと共に、通信回線を介して他の機器との間で情報の通信を行うカラオケ装置であって、
前記多数の楽曲は、それぞれ少なくとも１つの属性情報に対応付けられたものであり、
前記カラオケ装置を利用する各利用者に対応して、該利用者が前記多数の楽曲のうちから予め十八番として登録した楽曲である十八番曲及び前記利用者が前記カラオケ装置において過去に選曲した楽曲である既演奏曲のうち少なくとも一方と、前記利用者のメールアドレスとを、記憶する顧客データベースと、
前記カラオケ装置の利用に係る各利用者のログイン認証を行う認証制御手段と、
該認証制御手段により所定の利用者のログイン認証が正常に行われた際、該利用者に対応して前記顧客データベースに記憶された十八番曲及び既演奏曲の少なくとも一方に含まれる楽曲に対応付けられた属性情報を抽出し、該属性情報に対応付けられた楽曲が十八番曲及び既演奏曲の少なくとも一方に含まれる他の利用者を前記顧客データベースから検索する利用者検索手段と、
該利用者検索手段により検索された前記他の利用者が、現時点において前記カラオケ装置の利用に係るログイン中であるか否かを判定するログイン判定手段と、
該ログイン判定手段による判定が否定される場合には、前記利用者検索手段により検索された前記他の利用者に対応して前記顧客データベースに記憶されたメールアドレスに対して、少なくとも前記利用者検索手段による検索の基準となった属性情報に係る情報を含むメッセージを、前記通信回線を介して送信するメッセージ送信手段と
を、備えたものであることを特徴とするカラオケ装置。
【請求項２】
前記多数の楽曲は、前記属性情報としてそれぞれ少なくとも１つのアーティスト名に対応付けられたものであり、
前記メッセージ送信手段は、前記利用者検索手段による検索の基準となったアーティスト名に対応付けられた楽曲であって、前記カラオケ装置において最も新しく演奏可能となった楽曲に係る情報を含むメッセージを送信するものである
請求項１に記載のカラオケ装置。
【請求項３】
前記顧客データベースは、各利用者が前記カラオケ装置の利用に係るログイン中であった時間帯及び曜日の少なくとも一方を記憶するものであり、
前記利用者検索手段は、前記認証制御手段により所定の利用者のログイン認証が正常に行われた際、該利用者に対応して前記顧客データベースに記憶された十八番曲及び既演奏曲の少なくとも一方に含まれる楽曲に対応付けられた属性情報を抽出し、該属性情報に対応付けられた楽曲が十八番曲及び既演奏曲の少なくとも一方に含まれる利用者であって、前記カラオケ装置の利用に係るログイン中であった時間帯及び曜日の少なくとも一方が現時点に対応する前記他の利用者を前記顧客データベースから検索するものである
請求項１又は２に記載のカラオケ装置。
【請求項４】
前記メッセージ送信手段は、前記利用者検索手段による検索の基準となった時間帯及び曜日の少なくとも一方に係る情報を含むメッセージを送信するものである請求項３に記載のカラオケ装置。
【発明の詳細な説明】
【技術分野】
【０００１】
本発明は、多数の楽曲のうちから選択される楽曲の演奏出力と併行して、音声入力装置から入力される音声を増幅して出力させるカラオケ装置に関し、特に、ナイト店等における店員から顧客に対するメッセージの自動送信技術の改良に関する。
【背景技術】
【０００２】
多数の楽曲のうちから選択される楽曲を出力させると共に、音声入力装置から入力される音声情報を増幅して出力させるカラオケ装置が知られている。斯かるカラオケ装置によれば、予め記憶装置に記憶された多数のカラオケ演奏曲からリモコン装置等により選択（選曲）されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
前記カラオケ装置は、例えばパブやスナック等の所謂ナイト店においても好適に用いられる。斯かるナイト店においては、店員から顧客に対して来店を促すメッセージ（電子メール）を送信することが日常的に行われているが、規模の大きな店舗等においては多くの顧客にメッセージを送信しなければならず、店員の負担となっていた。そこで、ナイト店等における店員から顧客に対するメッセージの自動送信を実現する技術が提案されている。例えば、特許文献１に記載されたカラオケ装置がそれである。この技術によれば、カラオケ装置に現在ログイン中の顧客であるログイン顧客と同じグループに属する他の顧客であり、且つ現在ログインしていない非ログイン顧客に対して、その非ログイン顧客のお気に入り接客スタッフを差出人とするメッセージを送信することで、対人関係を重視した訴求性の高い勧誘メッセージを送付することができる。
【先行技術文献】
【特許文献】
【０００４】
【特許文献１】特開２００９−２０５１１３号公報
【発明の概要】
【発明が解決しようとする課題】
【０００５】
しかし、前記従来の技術は、予めグループデータベースにグループとして登録された顧客に対してメッセージを送信するものであり、常連客（リピータ）に対して来店を促す効果が期待できる反面、決まった顧客に対してしか前記メッセージが送付されないという弊害があった。すなわち、パブやスナック等の所謂ナイト店においては、店に通い始めた客を常連客として繋ぎ止める過程におけるマーケティングが重要であり、特に店員は自分を指名してくれる馴染みの顧客を一人でも多く増やしたいと願うものであるが、前記従来の技術ではそのような効果が期待できなかった。更に、自動送信されたものであることが明らかなメッセージでは、無味乾燥の印象を与えるばかりか所謂スパムメールとみなされかねず、却って客を興醒めさせるおそれさえあった。すなわち、受信した利用者が思わず店に向かいたくなるようなメッセージを簡便に自動送信するカラオケ装置は、未だ開発されていないのが現状である。
【０００６】
本発明は、以上の事情を背景として為されたものであり、その目的とするところは、受信した利用者が思わず店に向かいたくなるようなメッセージを簡便に自動送信するカラオケ装置を提供することにある。
【課題を解決するための手段】
【０００７】
斯かる目的を達成するために、本発明の要旨とするところは、多数の楽曲のうちから選択される楽曲の演奏出力と併行して、音声入力装置から入力される音声を増幅して出力させるカラオケ演奏制御を行うと共に、通信回線を介して他の機器との間で情報の通信を行うカラオケ装置であって、前記多数の楽曲は、それぞれ少なくとも１つの属性情報に対応付けられたものであり、前記カラオケ装置を利用する各利用者に対応して、その利用者が前記多数の楽曲のうちから予め十八番として登録した楽曲である十八番曲及び前記利用者が前記カラオケ装置において過去に選曲した楽曲である既演奏曲のうち少なくとも一方と、前記利用者のメールアドレスとを、記憶する顧客データベースと、前記カラオケ装置の利用に係る各利用者のログイン認証を行う認証制御手段と、その認証制御手段により所定の利用者のログイン認証が正常に行われた際、その利用者に対応して前記顧客データベースに記憶された十八番曲及び既演奏曲の少なくとも一方に含まれる楽曲に対応付けられた属性情報を抽出し、その属性情報に対応付けられた楽曲が十八番曲及び既演奏曲の少なくとも一方に含まれる他の利用者を前記顧客データベースから検索する利用者検索手段と、その利用者検索手段により検索された前記他の利用者が、現時点において前記カラオケ装置の利用に係るログイン中であるか否かを判定するログイン判定手段と、そのログイン判定手段による判定が否定される場合には、前記利用者検索手段により検索された前記他の利用者に対応して前記顧客データベースに記憶されたメールアドレスに対して、少なくとも前記利用者検索手段による検索の基準となった属性情報に係る情報を含むメッセージを、前記通信回線を介して送信するメッセージ送信手段とを、備えたことを特徴とするものである。
【発明の効果】
【０００８】
このようにすれば、前記多数の楽曲は、それぞれ少なくとも１つの属性情報に対応付けられたものであり、前記カラオケ装置を利用する各利用者に対応して、その利用者が前記多数の楽曲のうちから予め十八番として登録した楽曲である十八番曲及び前記利用者が前記カラオケ装置において過去に選曲した楽曲である既演奏曲のうち少なくとも一方と、前記利用者のメールアドレスとを、記憶する顧客データベースと、前記カラオケ装置の利用に係る各利用者のログイン認証を行う認証制御手段と、その認証制御手段により所定の利用者のログイン認証が正常に行われた際、その利用者に対応して前記顧客データベースに記憶された十八番曲及び既演奏曲の少なくとも一方に含まれる楽曲に対応付けられた属性情報を抽出し、その属性情報に対応付けられた楽曲が十八番曲及び既演奏曲の少なくとも一方に含まれる他の利用者を前記顧客データベースから検索する利用者検索手段と、その利用者検索手段により検索された前記他の利用者が、現時点において前記カラオケ装置の利用に係るログイン中であるか否かを判定するログイン判定手段と、そのログイン判定手段による判定が否定される場合には、前記利用者検索手段により検索された前記他の利用者に対応して前記顧客データベースに記憶されたメールアドレスに対して、少なくとも前記利用者検索手段による検索の基準となった属性情報に係る情報を含むメッセージを、前記通信回線を介して送信するメッセージ送信手段とを、備えたものであることから、例えば楽曲のアーティスト名等、十八番曲や選曲履歴等に共通して含まれる属性情報に基づいて検索を行うことで、音楽の趣味が合う利用者を検索できると共に、その属性情報に係る情報を本文に盛り込むことで、新規常連客と成り得る利用者に対して自動送信メールであることが悟られ難いメッセージを送信することができる。すなわち、受信した利用者が思わず店に向かいたくなるようなメッセージを簡便に自動送信するカラオケ装置を提供することができる。
【０００９】
ここで、好適には、前記多数の楽曲は、前記属性情報としてそれぞれ少なくとも１つのアーティスト名に対応付けられたものであり、前記メッセージ送信手段は、前記利用者検索手段による検索の基準となったアーティスト名に対応付けられた楽曲であって、前記カラオケ装置において最も新しく演奏可能となった楽曲に係る情報を含むメッセージを送信するものである。このようにすれば、十八番曲や選曲履歴等に共通して含まれるアーティストの新譜に係る情報等を本文に盛り込むことで、自動送信メールであることが更に悟られ難いメッセージを作成することができる。
【００１０】
また、好適には、前記顧客データベースは、各利用者が前記カラオケ装置の利用に係るログイン中であった時間帯及び曜日の少なくとも一方を記憶するものであり、前記利用者検索手段は、前記認証制御手段により所定の利用者のログイン認証が正常に行われた際、その利用者に対応して前記顧客データベースに記憶された十八番曲及び既演奏曲の少なくとも一方に含まれる楽曲に対応付けられた属性情報を抽出し、その属性情報に対応付けられた楽曲が十八番曲及び既演奏曲の少なくとも一方に含まれる利用者であって、前記カラオケ装置の利用に係るログイン中であった時間帯及び曜日の少なくとも一方が現時点に対応する前記他の利用者を前記顧客データベースから検索するものである。このようにすれば、店員が仕事についてカラオケ装置にログインした時間帯乃至曜日にログインしていた利用者を検索することで、その店員の馴染みの顧客と成り得る利用者を更に好適に検索することができる。
【００１１】
また、好適には、前記メッセージ送信手段は、前記利用者検索手段による検索の基準となった時間帯及び曜日の少なくとも一方に係る情報を含むメッセージを送信するものである。このようにすれば、利用者が実際にログインしていた時間帯乃至曜日等に係る情報等を本文に盛り込むことで、自動送信メールであることが更に悟られ難いメッセージを作成することができることに加え、店員が店に出ている時間帯乃至曜日等を知らせることで、その利用者により指名を受ける可能性を高めることができる。
【図面の簡単な説明】
【００１２】
【図１】本発明が好適に適用されるカラオケ装置の構成を例示するブロック線図である。
【図２】図１のカラオケ装置のＣＰＵに備えられた制御機能の要部を説明する機能ブロック線図である。
【図３】図１のカラオケ装置に備えられたメッセージテーブルの一例を示す図である。
【図４】図１のカラオケ装置のＣＰＵによるメッセージ送信制御の一例の要部を説明するフローチャートである。
【発明を実施するための形態】
【００１３】
以下、本発明の好適な実施例を図面に基づいて詳細に説明する。
【実施例】
【００１４】
図１は、本発明が好適に適用されるカラオケ装置１０の構成を例示するブロック線図である。この図１に示すように、本実施例のカラオケ装置１０は、中央演算処理装置であるＣＰＵ１２と、読出専用メモリであるＲＯＭ１４と、随時書込読出メモリであるＲＡＭ１６と、記憶装置であるハードディスク１８と、グラフィックスチップ（グラフィックスボード）等の映像処理部２０と、サウンドチップ（サウンドボード）等の音声処理部２２と、操作パネル２４と、表示制御部２６及び入力制御部２８を介して前記ＣＰＵ１２に接続されたタッチパネルディスプレイ３０と、通信インターフェイス３６と、ＬＡＮインターフェイス３８と、無線通信部４０と、ビデオ出力端子４２を介して前記映像処理部２０に接続された映像表示装置であるディスプレイ４４と、オーディオ入力端子４６を介して前記音声処理部２２に接続された音声入力装置であるマイクロフォン４８と、オーディオ出力端子５０を介して前記音声処理部２２に接続された音声増幅装置であるアンプ５２と、そのアンプ５２に備えられた音声出力装置であるスピーカ５４とを、備えて構成されている。
【００１５】
前記ＣＰＵ１２は、前記ＲＡＭ１６の一時記憶機能を利用しつつ前記ＲＯＭ１４に予め記憶された所定のプログラムに基づいて電子情報を処理・制御する所謂マイクロコンピュータであり、前記カラオケ装置１０における各種制御を実行する。すなわち、前記操作パネル２４、タッチパネルディスプレイ３０、或いは電子早見本装置６８等により所定の楽曲（カラオケ演奏曲）が選曲入力された場合、その選曲入力された楽曲を前記ＲＡＭ１６等に設けられた予約曲テーブルに登録する選曲予約制御、その予約曲テーブルの演奏順に従って前記ハードディスク１８から前記ＲＡＭ１６に選曲されたカラオケ演奏曲の演奏情報及び歌詞情報（楽曲データ）を読み出す楽曲データ読出制御、楽曲の演奏進行に応じてそのＲＡＭ１６から前記音声処理部２２へ演奏情報を送信する演奏出力制御、その演奏出力制御に際して前記ＲＡＭ１６に展開された歌詞情報に基づいて歌詞文字映像を生成して前記映像処理部２０へ送信する歌詞文字映像出力制御、前記演奏出力制御に際して前記映像処理部２０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御に加え、後述する本実施例のメッセージ送信制御等の各種制御を実行する。
【００１６】
前記映像処理部２０は、前記ディスプレイ４４に表示される画面（映像）の描画に係る各種制御を行う。例えば、前記ＣＰＵ１２から供給されるデータに基づいてグラフィックスメモリにそのデータを書き込み、そのデータを読み出すことによって前記ビデオ出力端子４２を介して前記ディスプレイ４４に所定の画面を表示させる制御を行う。具体的には、前記カラオケ装置１０による楽曲の演奏出力（カラオケ演奏）に際して、前記ＣＰＵ１２において生成された歌詞文字映像等の文字映像（テロップ）を出力させたり、前記ハードディスク１８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ４４に表示させたり、その歌詞文字映像を前記楽曲の演奏進行に応じて順次色替わり表示させる等の各種表示制御を行う。なお、本実施例においては、前記映像処理部２０により前記ディスプレイ４４の表示制御を行う一方、後述する表示制御部２６により前記タッチパネルディスプレイ３０（表示装置３２）の表示制御を行う態様について説明するが、前記映像処理部２０により前記タッチパネルディスプレイ３０の表示制御をも行う態様も考えられる。この態様において、前記表示制御部２６は必ずしも設けられなくともよい。
【００１７】
前記音声処理部２２は、ＦＭ音源やＰＣＭ音源等の各種音源を備え、前記カラオケ装置１０による音声出力に係る各種制御を行う。好適には、電子回路により音を合成し、各種音色を発生するシンセサイザ（synthesizer）を備えている。このシンセサイザは、前記ハードディスク１８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン４８から前記オーディオ入力端子４６を介して入力される利用者（演奏者）の歌声とミキシングされ、前記オーディオ出力端子５０を介して前記アンプ５２に供給されてそのアンプ５２により増幅されて前記スピーカ５４から出力される。
【００１８】
前記操作パネル２４は、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記タッチパネルディスプレイ３０は、画像（映像）を表示させると共に利用者の操作に応じて前記カラオケ装置１０への操作入力を行う装置であり、そのタッチパネルディスプレイ３０に所定の画像（映像）を表示させる表示装置３２と、利用者の指や図示しない備え付けのペン等による前記タッチパネルディスプレイ３０への接触により入力を行うタッチパネル３４とを、備えている。前記表示制御部２６は、前記ＣＰＵ１２から供給される情報に基づいて前記表示装置３２に表示される画面（映像）の描画を制御する映像処理部である。前記入力制御部２８は、前記タッチパネル３４により入力される操作入力情報を前記ＣＰＵ１２等に供給する入力処理部である。以上の構成を備えていることで、前記タッチパネルディスプレイ３０は、前記ディスプレイ４４とは別に第２の映像表示装置として機能すると共に、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００１９】
前記カラオケ装置１０は、前記通信インターフェイス３６及びネットワーク接続端子５６を介して通信回線６０に接続されており、同様にその通信回線６０に接続された他の機器との相互間でその通信回線６０を介して情報の通信が可能とされている。前記通信回線６０は、例えば公衆電話回線、ＡＤＳＬ回線、或いは光ファイバ回線等から構成されるＷＷＷ（World Wide Web）等のインターネットに接続された広域情報通信網である。前記カラオケ装置１０は、前記通信回線６０を介してメールサーバ５８（図２を参照）に接続されており、そのメールサーバ５８を介して他の機器との間で電子メールの送受信が可能とされている。少なくとも、前記メールサーバ５８としてのＳＭＴＰ（simple mail transfer protocol）サーバを介して他の機器への電子メールの送信が可能とされている。また、前記カラオケ装置１０は、前記通信回線６０を介して図示しないサーバ（ホスト装置）に接続され、そのサーバから後述する楽曲データ（カラオケデータ）等の配信を受け付けるものであってもよいが、斯かる楽曲データ等の配信を受けない非通信型（電子メールの送受信を行うのみ）のカラオケ装置１０にも、本発明は好適に適用される。
【００２０】
前記ＬＡＮインターフェイス３８は、前記カラオケ装置１０をＬＡＮ接続端子６２を介してＬＡＮ（local area network）６４に接続するための接続器であり、そのように前記ＬＡＮ６４に接続されることで、前記カラオケ装置１０は、同様に前記ＬＡＮ６４に接続された電子早見本装置６８等の他の機器との間で情報の送受信が可能とされる。また、前記カラオケ装置１０が設置される店舗等に複数台のカラオケ装置が備えられている場合において、同様に前記ＬＡＮ６４に接続されたカラオケ装置相互間において情報の送受信が可能とされる。例えば、前記ＬＡＮ６４に接続されたアクセスポイント６６を介して受信される電子早見本装置６８からの選曲入力を受け付けて前記ＲＡＭ１６に設けられた予約曲テーブルに記憶したり、そのアクセスポイント６６を介して前記カラオケ装置１０から電子早見本装置６８へ所定の情報を送信したりというように、電波を介して前記カラオケ装置１０と電子早見本装置６８との間における相互の情報のやりとりが実行される。
【００２１】
前記無線通信部４０は、前記カラオケ装置１０と前記電子早見本装置６８等の入力装置との間の無線通信を行う。例えば、前記電子早見本装置６８等の入力装置から送信されるリモコン信号を受信するリモコン受信部として機能する。前記カラオケ装置１０と電子早見本装置６８との対応付け（くくりつけ）処理は、好適には、斯かるリモコン信号（赤外線信号）により前記無線通信部４０を介して行われる。すなわち、前記電子早見本装置６８は、それぞれ個別のシリアル番号を有しており、前記対応付け処理においては、例えばそのシリアル番号（例えば、下４桁）及び所定の接続コードを含む信号が接続通知として前記カラオケ装置１０へ送信され、前記無線通信部４０によりその接続信号を受信したカラオケ装置１０に対して前記電子早見本装置６８が対応付けられる。そのようにして前記カラオケ装置１０に対応付けられた電子早見本装置６８は、そのカラオケ装置１０の入力装置（遠隔操作装置）として機能し、その電子早見本装置６８から送信される信号が前記ＣＰＵ１２に供給されることで、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。なお、前記対応付け処理が行われた後、前記電子早見本装置６８と前記カラオケ装置１０との間の通信は、前記ＬＡＮ６４及びアクセスポイント６６等を介したＬＡＮ通信により行われる。また、本実施例においては、前記カラオケ装置１０に対応付け処理の行われた電子早見本装置６８等の入力装置もそのカラオケ装置１０の一部を構成するものであるとして以下の説明を行う。
【００２２】
前記ハードディスク１８には、カラオケ演奏曲を出力させるための多数の楽曲データ（カラオケ情報）を記憶する楽曲データベース７０及び前記カラオケ装置１０の利用者毎に各種情報をその利用者と関連付けて記憶する顧客データベース７２（図２を参照）をはじめとする各種データベースが設けられている。前記楽曲データベース７０は、前記カラオケ装置１０により出力可能な楽曲にそれぞれ対応する多数（例えば、数万曲分）の楽曲データ（カラオケデータ）を記憶する。この楽曲データは、前記音声処理部２２（シンセサイザ）により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各楽曲に固有の選曲番号により識別される。また、前記楽曲データは、曲名、アーティスト名（歌手名）、発表時期、及びジャンル等の属性情報が例えばヘッダ情報として記憶されている。上記ヘッダ情報に含まれるアーティスト名は、その楽曲を歌う（ＣＤ等の市販によりその人の歌であると一般に認識されている）オリジナルアーティストの名前である。また、上記ジャンルは、各楽曲の方向性を示すポップス、ロック、Ｒ＆Ｂ、ヒップホップ、演歌、アニメソング、民謡、洋楽、及び軍歌等の分類が各楽曲に対応して少なくとも１つ定められたものである。また、前記演奏情報は、例えば前記音声処理部２２により予め定められた複数種類の楽器のうち何れかの楽器の演奏音を出力させるためのＭＩＤＩ形式のデータであり、出力に係る演奏音（楽器）の種類と、各演奏音に対応して定められた楽譜情報とを、含んでいる。
【００２３】
ここで、好適には、新たな楽曲に対応する楽曲データが作成された場合、その楽曲データが前記楽曲データベース７０に追加して記憶される。例えば、カラオケサービス提供会社の職員が各店舗を訪問し、新たな楽曲データを記憶した記憶媒体を図示しない接続部を介して前記カラオケ装置１０に接続することで、その楽曲データを前記ハードディスク１８における楽曲データベース７０に記憶（更新）させる。或いは、新たな楽曲データを取得するために前記カラオケ装置１０をインターネット等の通信回線に接続し、その通信回線を介して図示しないカラオケサービス提供会社のサーバ装置（ホスト装置）からその楽曲データをダウンロードして前記楽曲データベース７０の内容を更新する等の態様も考えられる。
【００２４】
前記顧客データベース７２は、前記カラオケ装置１０の利用者に係る各種情報を記憶する。例えば、前記カラオケ装置１０を利用する各利用者毎の、そのカラオケ装置１０を用いたカラオケ演奏に関する情報を、その利用者の識別情報（ユーザＩＤ）と対応付けて記憶する。具体的には、ユーザＩＤにより識別される各利用者毎に、名前（ニックネーム）、生年月日、年齢、性別、メールアドレス（例えば、携帯電話機の電子メールアドレス）、住所、電話番号、血液型、星座、ログイン認証に用いられるパスワード、パスワードを忘れたときのための質問及び解答、及びボトルキープに関する情報等が、各利用者のユーザＩＤと対応付けられて記憶される。また、好適には、前記顧客データベース７２には、各利用者の前記カラオケ装置１０を用いたカラオケ演奏に関する情報として、例えばその利用者が前記カラオケ装置１０によるカラオケ演奏に関して登録した十八番曲（簡易な操作により選曲入力を行い得るように設定された単数乃至複数の楽曲）に関する情報、その利用者が過去に前記カラオケ装置１０によるカラオケ演奏において選曲した選曲履歴（カラオケ装置１０において過去に選曲された単数乃至複数の楽曲すなわち既演奏曲の履歴）に関する情報、その利用者が前記カラオケ装置１０によるカラオケ演奏において過去に行った演奏評価の評価結果に関する情報、その利用者が前記カラオケ装置１０の利用に係るログインを行った日時に関する情報、及びログアウトを行った日時に関する情報等が、各利用者のユーザＩＤと対応付けられて記憶される。また、前記顧客データベース７２には、好適には、各利用者に対応して、その利用者が前記カラオケ装置１０の設置された店舗等における店員（スタッフ）であるか否かを示す情報が記憶されている。更に好適には、前記カラオケ装置１０の設置された店舗等における店員である利用者と、店員ではない一般の利用者（店舗の顧客）とで、それぞれ異なる顧客データベースが設けられたものであってもよい。
【００２５】
図２は、前記カラオケ装置１０のＣＰＵ１２に備えられた制御機能の要部を説明する機能ブロック線図である。この図２に示す顧客情報管理手段８０は、前記カラオケ装置１０の利用者毎に各種情報を管理する。具体的には、前記カラオケ装置１０を用いたカラオケ演奏に関する利用者毎の情報を前記顧客データベース７２に記憶させる。また、入力装置による操作に応じて、その顧客データベース７２に記憶された各種情報に対応する画面（映像）を表示させる等の制御を行う。好適には、前記カラオケ装置１０において出力可能な楽曲に関する情報、すなわち前記楽曲データベース７０に記憶された楽曲（楽曲データ）に関する情報を、各利用者の識別情報であるユーザＩＤと関連付けて前記顧客データベース７２に記憶する。好適には、前記電子早見本装置６８等による操作に応じて、各利用者毎に十八番曲すなわち簡易な操作により選曲入力を行い得るように設定される単数乃至複数の楽曲を、各利用者のユーザＩＤと関連付けて前記顧客データベース７２に記憶する。また、好適には、例えば前記電子早見本装置６８等による操作に応じて選曲入力が行われる毎に、選曲入力された楽曲（既演奏曲）の選曲履歴を、その選曲入力の主体である利用者のユーザＩＤと関連付けて前記顧客データベース７２に記憶する。また、好適には、前記カラオケ装置１０によるカラオケ演奏に係る演奏評価の評価結果に関する情報を、その演奏評価に係るカラオケ演奏の主体である利用者のユーザＩＤと関連付けて前記顧客データベース７２に記憶する。また、前記顧客情報管理手段８０は、前記電子早見本装置６８等による操作に応じて、前記顧客データベース７２に記憶された各種情報に対応する画面（映像）をその電子早見本装置６８に備えられたタッチパネルディスプレイに表示させる。斯かる表示制御に関しては、本発明とは直接関係しないので、その詳細な説明を省略する。
【００２６】
前記顧客情報管理手段８０は、好適には、後述する認証制御手段８２により前記カラオケ装置１０の利用に係る各利用者のログイン認証が正常に行われ、その利用者がログインを行った日時に関する情報、及び前記電子早見本装置６８等の操作によりログアウトを行った日時に関する情報を、各利用者のユーザＩＤと関連付けて前記顧客データベース７２に記憶する。ここで、前記ログイン乃至ログアウトを行った日時に関する情報とは、好適には、年月日時分を記憶するものであるが、例えば夕方（午後５時〜午後７時）、夜間（午後７時〜午後１０時）、深夜（午後１０時〜午前２時）等、予め定められた複数の時間帯の何れにログイン乃至ログアウトが行われたかを記憶するものであってもよい。また、時間帯に係る情報に加え、或いはその代替として、ログイン乃至ログアウトを行った曜日に係る情報を記憶するものであってもよい。
【００２７】
認証制御手段８２は、前記カラオケ装置１０の利用に係る各利用者のログイン認証を行う。すなわち、前記顧客情報管理手段８０に係る各利用者のログイン認証を実行する。例えば、前記電子早見本装置６８のタッチパネルディスプレイ等により入力される識別情報（ユーザＩＤ）に応じて前記カラオケ装置１０の利用者を認証し、その認証が正常に行われた場合にはその識別情報をもってその利用者のログインを許可する。また、各利用者の識別情報を記憶した非接触ＩＣチップ（無線タグ）乃至その非接触ＩＣチップを内蔵する携帯電話機等を各利用者が所持する態様において、所定の読取装置によりその非接触ＩＣチップの記憶内容を読み取ることで各利用者の認証を行うものであってもよい。ここで、ログインが許可された状態とは、各利用者に対応して前記カラオケ装置１０に係る個別の制御乃至情報の記憶等が可能とされた状態である。例えば、ログインが許可された状態においては、前記電子早見本装置６８による選曲操作において操作主体である利用者の切り替えを行うことができ、選曲入力主体である利用者を特定して選曲入力を行うことができる。すなわち、前記ＲＡＭ１６等の予約曲テーブルに、選曲主体（演奏主体）である利用者と関連付けて選曲予約を行うことができる。また、前記カラオケ装置１０による選曲履歴を各利用者毎に前記顧客データベース７２に記憶（蓄積）できる。また、各利用者に対応して前記顧客データベース７２に十八番曲に関する情報等を記憶させることができる。
【００２８】
前記認証制御手段８２は、具体的には、前記電子早見本装置６８のタッチパネルディスプレイ等により識別情報であるユーザＩＤ及びパスワードが入力された場合、そのユーザＩＤに対応付けられて前記顧客データベース７２に記憶されたパスワードが入力されたものと一致するか否かを判定し、一致する場合には正常な認証を行う一方、一致しない場合にはエラーとする。なお、前記認証制御手段８２は、入力装置である前記電子早見本装置６８のＣＰＵ等に備えられたものであってもよく、実質的な認証はその電子早見本装置６８側で行うものであっても構わない。前記認証制御手段８２によるログイン認証が正常に行われた場合、その判定に係る利用者のユーザＩＤがログイン中の利用者として前記ＲＡＭ１６等に記憶される。また、前記電子早見本装置６８のタッチパネルディスプレイ等による操作に応じて利用者のログアウトが行われた場合、その利用者のユーザＩＤが前記ＲＡＭ１６等から削除される。
【００２９】
属性情報抽出手段８４は、前記認証制御手段８２により所定の利用者のログイン認証が正常に行われた際、その利用者に対応して前記顧客データベース７２に記憶された十八番曲及び選曲履歴（既演奏曲）の少なくとも一方に含まれる楽曲に対応付けられた属性情報を抽出する。好適には、ログイン認証が行われた利用者に対応して前記顧客データベース７２に記憶された十八番曲及び選曲履歴を参照し、それら十八番曲及び選曲履歴の少なくとも一方に含まれる楽曲（楽曲データ）に対応付けられた全てのアーティスト名（歌手名）を抽出する。また、好適には、ログイン認証が行われた利用者に対応して前記顧客データベース７２に記憶された十八番曲及び選曲履歴を参照し、それら十八番曲及び選曲履歴の少なくとも一方に含まれる楽曲に対応付けられた全てのジャンルを抽出する。この属性情報抽出手段８４による制御、及び以下に説明する利用者検索手段８６、ログイン判定手段８８、及びメッセージ送信手段９０による制御は、好適には、前記認証制御手段８２により前記カラオケ装置１０の設置された店舗等における店員（スタッフ）である利用者のログイン認証が正常に行われた際には実行されるが、店員ではない一般の利用者のログイン認証が正常に行われた際には実行されない。すなわち、前記認証制御手段８２により所定の利用者のログイン認証が正常に行われた場合であって、その利用者が前記顧客データベース７２に前記カラオケ装置１０の設置された店舗等における店員であると記憶された利用者である場合に限り、前記属性情報抽出手段８４、利用者検索手段８６、ログイン判定手段８８、及びメッセージ送信手段９０による制御を実行する。
【００３０】
利用者検索手段８６は、前記属性情報抽出手段８４により抽出される属性情報に対応付けられた楽曲が十八番曲及び選曲履歴（既演奏曲）の少なくとも一方に含まれる他の利用者を前記顧客データベース７２から検索する。好適には、前記属性情報抽出手段８４により抽出されたアーティスト名を、同様にアーティスト名として前記ヘッダ情報等に記憶する楽曲が十八番曲及び既演奏曲の少なくとも一方に含まれる他の利用者を前記顧客データベース７２から検索する。また、好適には、前記属性情報抽出手段８４により抽出されたジャンルを、同様にジャンルとして前記ヘッダ情報等に記憶する楽曲が十八番曲及び既演奏曲の少なくとも一方に含まれる他の利用者を前記顧客データベース７２から検索する。換言すれば、前記属性情報抽出手段８４により抽出される属性情報と同一の属性情報に対応付けられた楽曲を十八番曲とする或いは選曲履歴に含む、前記属性情報抽出手段８４による制御のきっかけとなったログイン認証が行われた利用者とは異なる他の利用者を、前記顧客データベース７２から検索する。
【００３１】
前記利用者検索手段８６は、好適には、前記属性情報抽出手段８４により抽出された属性情報に対応付けられた楽曲が十八番曲及び選曲履歴（既演奏曲）の少なくとも一方に含まれる利用者であって、前記カラオケ装置１０の利用に係るログイン中であった時間帯及び曜日の少なくとも一方が現時点に対応する前記他の利用者を前記顧客データベース７２から検索する。すなわち、前記属性情報抽出手段８４により抽出された属性情報に対応付けられた楽曲が十八番曲及び選曲履歴の少なくとも一方に含まれる利用者が検索された場合、その利用者に対応付けられて前記顧客データベース７２に記憶された、その利用者がログインを行った日時に関する情報、及びログアウトを行った日時に関する情報を参照し、前記カラオケ装置１０の利用に係るログイン中であった時間帯及び曜日の少なくとも一方が現時点（例えば、属性情報抽出手段８４による制御のきっかけとなったログイン認証が行われた時点）に対応するか否かを判定する。この判定は、例えば、時間帯に関しては夕方（午後５時〜午後７時）、夜間（午後７時〜午後１０時）、深夜（午後１０時〜午前２時）等、予め定められた複数の時間帯に関して、対象となる利用者が前記カラオケ装置１０の利用に係るログイン中であった時間帯と現時点が同一の時間帯に含まれるか否かを判定する。また、曜日に関しては、対象となる利用者が前記カラオケ装置１０の利用に係るログイン中であった曜日と現時点が同一の曜日であるか否かを判定する。そして、前記カラオケ装置１０の利用に係るログイン中であった時間帯及び曜日の少なくとも一方が現時点に対応すると判定された利用者を、後述するログイン判定手段８８による判定の対象更にはメッセージ送信手段９０によるメッセージ送信の対象である前記他の利用者として、前記顧客データベース７２から検索（抽出）する。
【００３２】
ログイン判定手段８８は、前記利用者検索手段８６により検索された前記他の利用者が、現時点（例えば、属性情報抽出手段８４による制御のきっかけとなったログイン認証が行われた時点）において前記カラオケ装置１０の利用に係るログイン中であるか否かを判定する。すなわち、前記利用者検索手段８６により検索された前記他の利用者のユーザＩＤが、前記認証制御手段８２によるログイン認証が正常に行われたログイン中の利用者として前記ＲＡＭ１６等に記憶されているか否かを判定する。
【００３３】
メッセージ送信手段９０は、前記ログイン判定手段８８による判定が否定される場合、すなわち前記利用者検索手段８６により検索された前記他の利用者が、現時点において前記カラオケ装置１０の利用に係るログイン中ではないと判定される場合には、前記利用者検索手段８６により検索された前記他の利用者に対応して前記顧客データベース７２に記憶されたメールアドレスに対して、少なくとも前記利用者検索手段８６による検索の基準となった属性情報に係る情報を含むメッセージを前記通信回線６０を介して送信する。斯かる制御を行うために、前記メッセージ送信手段９０は、メッセージ作成手段９２を含んでいる。以下、このメッセージ作成手段９２によるメッセージの作成制御について詳述する。
【００３４】
前記メッセージ作成手段９２は、前記ログイン判定手段８８による判定が否定される場合には、前記利用者検索手段８６により検索された前記他の利用者に対応して前記顧客データベース７２に記憶されたメールアドレスを宛先（送信先）とし、少なくとも前記利用者検索手段８６による検索の基準となった属性情報に係る情報を本文に含むメッセージ（電子メール）を作成する。好適には、前記属性情報抽出手段８４による制御のきっかけとなったログイン認証に係る利用者（店員）に対応して前記顧客データベース７２に記憶されたメールアドレスを送信者（送信元）とするメッセージを作成する。斯かる制御により、前記メッセージ作成手段９２により作成されるメッセージは見かけ上、前記属性情報抽出手段８４による制御のきっかけとなったログイン認証に係る利用者（店員）の携帯電話機等のメールアドレスから、前記利用者検索手段８６により検索された前記他の利用者の携帯電話機等のメールアドレスへのメッセージ（電子メール）の形態をとる。
【００３５】
前記メッセージ作成手段９２は、好適には、前記利用者検索手段８６による検索の基準となったアーティスト名及びジャンルの少なくとも一方を本文に含むメッセージを作成する。例えば、前記属性情報抽出手段８４により抽出されたアーティスト名を、同様にアーティスト名として前記ヘッダ情報等に記憶する楽曲が十八番曲及び選曲履歴の少なくとも一方に含まれる他の利用者が前記利用者検索手段８６により検索された場合、そのアーティスト名を本文に含むメッセージを作成する。また、前記属性情報抽出手段８４により抽出されたジャンルを、同様にジャンルとして前記ヘッダ情報等に記憶する楽曲が十八番曲及び選曲履歴の少なくとも一方に含まれる他の利用者が前記利用者検索手段８６により検索された場合、そのジャンルを本文に含むメッセージを作成する。
【００３６】
前記メッセージ作成手段９２は、好適には、前記利用者検索手段８６による検索の基準となったアーティスト名に対応付けられた楽曲であって、前記カラオケ装置１０において最も新しく演奏可能となった楽曲に係る情報を含むメッセージを作成する。例えば、前記属性情報抽出手段８４により抽出されたアーティスト名を、同様にアーティスト名として前記ヘッダ情報等に記憶する楽曲が十八番曲及び選曲履歴の少なくとも一方に含まれる他の利用者が前記利用者検索手段８６により検索された場合、そのアーティスト名をヘッダ情報等に記憶する楽曲（楽曲データ）のうち、前記カラオケ装置１０により演奏可能となった日時が最も新しい（データの作成日時が最も新しい）楽曲を前記楽曲データベース７０から検索し、その楽曲に係る情報として例えば曲名及びアーティスト名を含むメッセージを作成する。
【００３７】
前記メッセージ作成手段９２は、好適には、前記利用者検索手段８６による検索の基準となった時間帯及び曜日の少なくとも一方に係る情報を含むメッセージを作成する。例えば、前記属性情報抽出手段８４により抽出された属性情報に対応付けられた楽曲が十八番曲及び選曲履歴の少なくとも一方に含まれる利用者であって、前記カラオケ装置１０の利用に係るログイン中であった時間帯及び曜日の少なくとも一方が現時点に対応する前記他の利用者が前記利用者検索手段８６により検索された場合、その時間帯及び曜日の少なくとも一方に係る情報を本文に含むメッセージを作成する。
【００３８】
前記メッセージ作成手段９２は、好適には、予め作成されて前記ハードディスク１８等に記憶されたメッセージテーブル７４に基づいて前記メッセージを作成する。図３は、このメッセージテーブル７４の一例を示す図である。この図３に示すように、前記メッセージテーブル７４には、「（利用者名）」すなわち前記利用者検索手段８６により検索された前記他の利用者に対応して前記顧客データベース７２に記憶された名前（ニックネーム）、「（店舗名）」すなわち前記カラオケ装置１０が設置された店舗の名称、「（店員名）」すなわち前記属性情報抽出手段８４による制御のきっかけとなったログイン認証に係る利用者（店員）に対応して前記顧客データベース７２に記憶された名前（ニックネーム）、「（アーティスト名）」すなわち前記利用者検索手段８６による検索の基準となったアーティスト名、「（最新楽曲）」すなわち前記利用者検索手段８６による検索の基準となったアーティスト名に対応付けられた楽曲であって、前記カラオケ装置１０において最も新しく演奏可能となった楽曲の曲名、及び「（時間or曜日）」すなわち前記利用者検索手段８６による検索の基準となった時間帯及び曜日の少なくとも一方をそれぞれ当てはめる（追記する）ことで、店員が新規常連客と成り得る利用者に初めて送信する電子メールの本文として自然なメッセージとなるテキスト情報（メッセージテンプレート）が記憶されている。前記メッセージ作成手段９２は、好適には、図３に示すようなテキスト情報に、前記「（利用者名）」、「（店舗名）」、「（店員名）」、「（アーティスト名）」、「（最新楽曲）」、及び「（時間or曜日）」等の情報を当てはめることで前記メッセージ（電子メールの本文）を作成する。なお、前記メッセージテーブル７４には、複数種類のテキスト情報（メッセージテンプレート）が記憶されるものであってもよく、斯かる態様において、前記メッセージ作成手段９２によるメッセージの作成に用いられるテキスト情報を選択可能とするものであってもよい。また、前記電子早見本装置６８等による操作に応じて、前記メッセージテーブル７４に記憶されたテキスト情報を編集可能とするものであってもよい。
【００３９】
前記メッセージ送信手段９０は、好適には、前記メッセージの送信者（送信元）及び宛先（送信先）の組み合わせに関して、同一の組み合わせに係るメッセージを１回に限り送信する。すなわち、所定の送信者及び宛先の組み合わせに係るメッセージを送信した後は、前記利用者検索手段８６により前記宛先に対応する利用者と成り得る前記他の利用者が検索された場合であっても、同一の送信者及び宛先の組み合わせに係るメッセージを送信しない。前記利用者検索手段８６により前記宛先に対応する利用者と成り得る前記他の利用者が検索される毎に、同一の送信者及び宛先の組み合わせに係るメッセージが繰り返し送信される場合、所謂スパムメールとみなされて却って客を興醒めさせるおそれがあるが、前記のような制御を行うことで一回勝負のメッセージとなり、自動送信メールであることが更に悟られ難いメッセージとすることができる。また、前記メッセージ送信手段９０は、好適には、前記同一の送信者及び宛先の組み合わせに係るメッセージに関して、所定の送信者及び宛先の組み合わせに係るメッセージを送信した後、例えば数ヶ月といった十分に長い所定の日時が経過することを条件として、その日時の経過後は、前記利用者検索手段８６により前記宛先に対応する利用者と成り得る前記他の利用者が検索された場合に、前回のメッセージとは異なるテンプレート（本文）に基づいて同一の送信者及び宛先の組み合わせに係るメッセージを送信するものであってもよい。
【００４０】
図４は、前記カラオケ装置１０のＣＰＵ１２によるメッセージ送信制御の一例の要部を説明するフローチャートであり、所定の周期で繰り返し実行されるものである。
【００４１】
先ず、ステップ（以下、ステップを省略する）Ｓ１において、前記カラオケ装置１０の設置された店舗の店員（スタッフ）である利用者のログイン認証が正常に行われたか否かが判断される。このＳ１の判断が否定される場合には、それをもって本ルーチンが終了させられるが、Ｓ１の判断が肯定される場合には、Ｓ２において、ログインした店員に対応して前記顧客データベース７２に記憶された十八番曲及び選曲履歴（既演奏曲）の少なくとも一方に含まれる楽曲に対応付けられた属性情報例えばアーティスト名が抽出される。次に、Ｓ３において、Ｓ２にて抽出されたアーティスト名に対応付けられた楽曲が十八番曲及び選曲履歴（既演奏曲）の少なくとも一方に含まれる他の利用者が前記顧客データベース７２から検索される。
【００４２】
次に、Ｓ４において、該当する顧客（利用者）が存在するか否か、すなわちＳ２にて抽出されたアーティスト名に対応付けられた楽曲が十八番曲及び選曲履歴（既演奏曲）の少なくとも一方に含まれる他の利用者が前記顧客データベース７２に記憶されているか否かが判断される。このＳ４の判断が否定される場合には、それをもって本ルーチンが終了させられるが、Ｓ４の判断が肯定される場合には、Ｓ５において、該当する顧客が過去にメッセージを送信した顧客であるか否か、すなわちＳ１にてログインした店員を送信者（送信元）とし、Ｓ４にて検索された顧客を宛先（送信先）とするメッセージが過去に送信されたか否かが判断される。このＳ５の判断が肯定される場合には、それをもって本ルーチンが終了させられるが、Ｓ５の判断が否定される場合には、Ｓ６において、Ｓ４にて検索された顧客に対応して前記顧客データベース７２に記憶された、前記カラオケ装置１０の利用に係るログイン中であった時間帯及び曜日の少なくとも一方が現時点に対応するか否かが判断される。このＳ６の判断が否定される場合には、それをもって本ルーチンが終了させられるが、Ｓ６の判断が肯定される場合には、Ｓ７以下の処理が実行される。
【００４３】
Ｓ７においては、Ｓ４にて検索された顧客が現時点において前記カラオケ装置１０の使用に係るログイン中であるか否かが判断される。このＳ７の判断が肯定される場合には、それをもって本ルーチンが終了させられるが、Ｓ７の判断が否定される場合には、Ｓ８において、Ｓ１にてログインした利用者（店員）のメールアドレスを送信者（送信元）、Ｓ４にて検索された顧客のメールアドレスを宛先（送信先）とし、Ｓ３における検索の基準となったアーティスト名、そのアーティスト名に対応付けられた最新楽曲、Ｓ６における判定の基準となった時間帯及び曜日等に関する情報を含むテキストを本文とするメッセージ（電子メール）が作成される。次に、Ｓ９において、Ｓ８にて作成されたメッセージが前記通信回線６０を介して前記メールサーバ５８等に送信された後、本ルーチンが終了させられる。
【００４４】
以上の制御において、Ｓ１が前記顧客情報管理手段８０及び前記認証制御手段８２の動作に、Ｓ２が前記属性情報抽出手段８４の動作に、Ｓ３〜Ｓ６が前記利用者検索手段８６の動作に、Ｓ７が前記ログイン判定手段８８の動作に、Ｓ８が前記メッセージ作成手段９２の動作に、Ｓ８及びＳ９が前記メッセージ送信手段９０の動作に、それぞれ対応する。
【００４５】
このように、本実施例によれば、前記多数の楽曲は、それぞれ少なくとも１つの属性情報に対応付けられたものであり、前記カラオケ装置１０を利用する各利用者に対応して、その利用者が前記多数の楽曲のうちから予め十八番として登録した楽曲である十八番曲及び前記利用者が前記カラオケ装置１０において過去に選曲した楽曲である既演奏曲すなわち選曲履歴のうち少なくとも一方と、前記利用者のメールアドレスとを、記憶する顧客データベース７２と、前記カラオケ装置１０の利用に係る各利用者のログイン認証を行う認証制御手段８２（Ｓ１）と、その認証制御手段８２により所定の利用者のログイン認証が正常に行われた際、その利用者に対応して前記顧客データベース７２に記憶された十八番曲及び選曲履歴の少なくとも一方に含まれる楽曲に対応付けられた属性情報を抽出し、その属性情報に対応付けられた楽曲が十八番曲及び選曲履歴の少なくとも一方に含まれる他の利用者を前記顧客データベース７２から検索する利用者検索手段８６（Ｓ３〜Ｓ６）と、その利用者検索手段８６により検索された前記他の利用者が、現時点において前記カラオケ装置１０の利用に係るログイン中であるか否かを判定するログイン判定手段８８（Ｓ７）と、そのログイン判定手段８８による判定が否定される場合には、前記利用者検索手段８６により検索された前記他の利用者に対応して前記顧客データベース７２に記憶されたメールアドレスに対して、少なくとも前記利用者検索手段８６による検索の基準となった属性情報に係る情報を含むメッセージを、前記通信回線６０を介して送信するメッセージ送信手段９０（Ｓ８及びＳ９）とを、備えたものであることから、例えば楽曲のアーティスト名等、十八番曲や選曲履歴等に共通して含まれる属性情報に基づいて検索を行うことで、音楽の趣味が合う利用者を検索できると共に、その属性情報に係る情報を本文に盛り込むことで、新規顧客と成り得る利用者に対して自動送信メールであることが悟られ難いメッセージを送信することができる。すなわち、受信した利用者が思わず店に向かいたくなるようなメッセージを簡便に自動送信するカラオケ装置１０を提供することができる。
【００４６】
また、前記多数の楽曲は、前記属性情報としてそれぞれ少なくとも１つのアーティスト名に対応付けられたものであり、前記メッセージ送信手段９０は、前記利用者検索手段８６による検索の基準となったアーティスト名に対応付けられた楽曲であって、前記カラオケ装置１０において最も新しく演奏可能となった楽曲に係る情報を含むメッセージを送信するものであるため、十八番曲や選曲履歴等に共通して含まれるアーティストの新譜に係る情報等を本文に盛り込むことで、自動送信メールであることが更に悟られ難いメッセージを作成することができる。
【００４７】
また、前記顧客データベース７２は、各利用者が前記カラオケ装置１０の利用に係るログイン中であった時間帯及び曜日の少なくとも一方を記憶するものであり、前記利用者検索手段８６は、前記認証制御手段８２により所定の利用者のログイン認証が正常に行われた際、その利用者に対応して前記顧客データベース７２に記憶された十八番曲及び選曲履歴の少なくとも一方に含まれる楽曲に対応付けられた属性情報を抽出し、その属性情報に対応付けられた楽曲が十八番曲及び選曲履歴の少なくとも一方に含まれる利用者であって、前記カラオケ装置１０の利用に係るログイン中であった時間帯及び曜日の少なくとも一方が現時点に対応する前記他の利用者を前記顧客データベース７２から検索するものであるため、店員が仕事についてカラオケ装置１０にログインした時間帯乃至曜日にログインしていた利用者を検索することで、その店員の馴染みの顧客と成り得る利用者を更に好適に検索することができる。
【００４８】
また、前記メッセージ送信手段９０は、前記利用者検索手段８６による検索の基準となった時間帯及び曜日の少なくとも一方に係る情報を含むメッセージを送信するものであるため、利用者が実際にログインしていた時間帯乃至曜日等に係る情報等を本文に盛り込むことで、自動送信メールであることが更に悟られ難いメッセージを作成することができることに加え、店員が店に出ている時間帯乃至曜日等を知らせることで、その利用者により指名を受ける可能性を高めることができる。
【００４９】
以上、本発明の好適な実施例を図面に基づいて詳細に説明したが、本発明はこれに限定されるものではなく、更に別の態様においても実施される。
【００５０】
例えば、前述の実施例では、前記メッセージ送信手段９０によるメッセージ（電子メール）の送信を行う他はインターネット等の広域的な通信回線に接続されない（通信回線６０を介して楽曲データの配信を受けない）非通信型のカラオケ装置１０に本発明が適用された例を説明したが、本発明はこれに限定されるものではなく、センタ装置から楽曲データの配信を受ける所謂通信カラオケ装置にも本発明は好適に適用される。斯かる態様において、前記認証制御手段８２は、複数の前記カラオケ装置１０等を備えた広域的な通信カラオケシステムの利用に係る各利用者のログイン認証を行うものであってもよい。斯かる広域的な通信カラオケシステムにおいても、例えば店舗の常連客等、対象となるカラオケ装置を用いる複数の利用者を対象とする、通信を前提としない（単体のカラオケ装置の中で閉じた）顧客情報管理システムを適用することが好ましい場合が考えられ、斯かる場合において本発明を適用することにより、前述した本発明の一応の効果が得られる。
【００５１】
また、前述の実施例においては特に言及していないが、前記利用者検索手段８６による利用者検索制御には種々の態様が考えられる。例えば、前記認証制御手段８２により所定の利用者のログイン認証が正常に行われた際、その利用者に対応して前記顧客データベースに記憶された十八番曲及び既演奏曲の少なくとも一方に含まれるデュエットパートを有する楽曲を抽出し、その楽曲が十八番曲及び既演奏曲の少なくとも一方に含まれる他の利用者を前記顧客データベースから検索するものであってもよい。斯かる態様においては、デュエットパートの有無が前記楽曲の属性情報に対応する。このようにすれば、新規常連客と成り得る利用者に対して、例えばデュエットパートを有する楽曲を共にカラオケ演奏することを促すメッセージを作成することができ、その利用者により指名を受ける可能性を高めることができる。
【００５２】
また、前述の実施例において、前記メッセージ送信手段９０は、前記認証制御手段８２により正常に店員のログイン認証が行われた際、一律に前記属性情報抽出手段８４、利用者検索手段８６、及びログイン判定手段８８等による制御結果に基づくメッセージを対象となる前記他の利用者に対して送信するものであったが、例えば、前記メッセージ作成手段９２により作成されたメッセージ（電子メール本文）を前記電子早見本装置６８のタッチパネルディスプレイに表示させ、そのメッセージを送信するか否かを前記店員に確認させる等の態様も考えられる。すなわち、前記メッセージ送信手段９０は、前記電子早見本装置６８のタッチパネルディスプレイに対する所定の操作が行われた場合に、前記メッセージ作成手段９２により作成されたメッセージを送信するものであってもよい。
【００５３】
その他、一々例示はしないが、本発明はその趣旨を逸脱しない範囲内において種々の変更が加えられて実施されるものである。
【符号の説明】
【００５４】
１０：カラオケ装置、４８：マイクロフォン（音声入力装置）、６０：通信回線、７２：顧客データベース、８２：認証制御手段、８６：利用者検索手段、８８：ログイン判定手段、９２：メッセージ送信手段
【図１】
2014066939.tif 000003
【図２】
2014066939.tif 000004
【図３】
2014066939.tif 000005
【図４】
2014066939.tif 000006